(57)【要約】【課題】取り外した天板等が邪魔になることがなく、キー入力を容易に行うことができ、一般的なコンソール卓に適用することもでき、誤ってキー入力をする恐れもなく、外観にも優れたコンソール卓を提供する。【解決手段】開口部を有する卓面１と、卓面１の開口部に配置され、入力装置を載置して固定することのできる載置面２ａと載置面２ａの裏側の平板状の非載置面２ｂとを備えた回転板２と、回転板２を回動可能に支持する支持手段４、５と、回転板２の載置面２ａ及び非載置面２ｂの各々が卓面１と略々同一平面になる位置で回転板を固定する係止手段７とを備えたコンソール卓。回転板２が１８０°以上回転するのを防止するストッパ手段６を備えることが好ましい。入力装置は、キーボード３、マウス等とすることができる。【選択図】  図４
2005018189.tif 000002
【特許請求の範囲】
【請求項１】
開口部を有する卓面と、
該卓面の開口部に配置され、入力装置を載置して固定することのできる載置面と該載置面の裏側の平板状の非載置面とを備えた回転板と、
該回転板を回動可能に支持する支持手段と、
前記回転板の前記載置面及び非載置面の各々が前記卓面と略々同一平面になる位置で前記回転板を固定する係止手段とを備えたことを特徴とするコンソール卓。
【請求項２】
前記回転板が１８０°以上回転するのを防止するストッパ手段を備えたことを特徴とする請求項１記載のコンソール卓。
【請求項３】
前記入力装置は、キーボードを含むことを特徴とする請求項１または２記載のコンソール卓。
【請求項４】
開口部を有する卓面と、
該卓面の開口部に配置され、入力装置を載置して固定した載置面と該載置面の裏側の平板状の非載置面とを備えた回転板と、
該回転板を回動可能に支持する支持手段と、
前記回転板の前記載置面及び非載置面の各々が前記卓面と略々同一平面になる位置で前記回転板を固定する係止手段とを備えたことを特徴とするコンソール卓。
【請求項５】
前記回転板が１８０°以上回転するのを防止するストッパ手段を備えたことを特徴とする請求項４記載のコンソール卓。
【請求項６】
前記入力装置は、キーボードを含むことを特徴とする請求項４または５記載のコンソール卓。
【発明の詳細な説明】
【０００１】
【発明の属する技術分野】
本発明は、コンソール卓に関し、特に、コンピュータその他の端末装置を実装し、キーボード等の入力装置を載置する卓面を有効利用することのできるコンソール卓に関する。
【０００２】
【従来の技術】
従来、コンピュータをコンソール卓に実装する場合には、図５及び図６に示すように、キーボード２２を卓面２１に実装していた。しかし、このようなコンソール卓では、キーボード２２の未使用時には、キーボード２２及びカールコード２３が邪魔になり、キーボード２２を移動させないと、卓上のスペースを他の作業に使用することができなかった。
【０００３】
この問題を解決するため、例えば、キーボードを天板と結合したコンソール卓において、キーボードの周辺に天板との段差を設け、天板と同一平面をなすように平板を載せることにより、キーボードを使用していない場合には、平板を載置し、書類を置いたり、伝票を書いたりすることができ、通常の事務机としても使用可能としたコンソール卓が提案されている（特許文献１参照）。
【０００４】
また、同様の目的で、特許文献２には、コンピュータに接続可能なコンソール等のキーボードが設置されている机において、平らな表面に触れるだけでキー入力可能なタッチセンサ式のキーボードが机の内部に埋め込まれるとともに、キーボードのキー入力の有効無効を操作することのできるスイッチを有し、キーボードの未使用時には、キー入力スイッチを無効に切り替えるだけで、机上の全スペースを他の作業に利用することのできる机が提案されている。
【０００５】
【特許文献１】
実開昭５５−９３０３２号公報
【０００６】
【特許文献２】
特開昭６２−１４８０９号公報
【０００７】
【発明が解決しようとする課題】
しかし、上記特許文献１に記載のコンソール卓では、キーボードの使用時に天板を取り外す必要があるため、取り外した天板が邪魔になるという問題があった。また、キーボードが卓上より低い位置に固定されているため、キー入力しづらいという問題もあった。さらに、同文献に記載されたコンソール卓は、通常使用されている一般的なコンソール卓に適用することができず、専用のコンソール卓を製造する必要があった。
【０００８】
一方、特許文献２に記載の机では、キーボードの不使用時にキーボードのキー入力を無効にすることを忘れると、卓上の書類等を置いた場合に誤ってキー入力をする恐れがあった。また、平らな表面に埋め込まれたタッチセンサ式のキーボードは、キー入力しづらいという問題もあった。さらに、卓上に常に埋め込まれたキーボードが視認されるため、外観に劣るという問題もあった。
【０００９】
そこで、本発明は、上記従来のコンソール卓等における問題点に鑑みてなされたものであって、取り外した天板等が邪魔になることがなく、キー入力を容易に行うことができ、一般的なコンソール卓に適用することもでき、誤ってキー入力をする恐れもなく、外観にも優れたコンソール卓を提供することを目的とする。
【００１０】
【課題を解決するための手段】
上記目的を達成するため、本発明は、コンソール卓であって、開口部を有する卓面と、該卓面の開口部に配置され、入力装置を載置して固定することのできる載置面と該載置面の裏側の平板状の非載置面とを備えた回転板と、該回転板を回動可能に支持する支持手段と、前記回転板の前記載置面及び非載置面の各々が前記卓面と略々同一平面になる位置で前記回転板を固定する係止手段とを備えたことを特徴とする。ここで、コンソール卓とは、コンピュータその他の端末装置を実装し、入力装置を載置する卓面を有するものをいう。
【００１１】
また、本発明は、コンソール卓であって、開口部を有する卓面と、該卓面の開口部に配置され、入力装置を載置して固定した載置面と該載置面の裏側の平板状の非載置面とを備えた回転板と、該回転板を回動可能に支持する支持手段と、前記回転板の前記載置面及び非載置面の各々が前記卓面と略々同一平面になる位置で前記回転板を固定する係止手段とを備えたことを特徴とする。
【００１２】
そして、本発明によれば、回転板の載置面または非載置面のいずれか一方を卓面と略々同一平面になる位置で固定することができるため、入力装置を使用する場合には、入力装置を使用してコンピュータ等への入力操作を行い、入力装置を使用しない場合には、非載置面が卓面と略々同一平面とすることができるため、従来のように、取り外した天板等が邪魔になることがなく、誤って入力操作を行う恐れもなく、入力操作を容易に行うことができ、一般的なコンソール卓に適用可能で、外観にも優れたコンソール卓を提供することができる。
【００１３】
上記コンソール卓において、前記回転板が１８０°以上回転するのを防止するストッパ手段を備えることが好ましい。これによって、回転板の回転角度を制限することができ、入力装置に付設されたカールコードが絡まる等の不具合を防止することができる。
【００１４】
前記入力装置は、キーボードを含むものとすることができる。キーボードの他、マウス等の入力装置であっても、同様に本発明を適用することができる。
【００１５】
【発明の実施の形態】
次に、本発明の実施の形態について図面を参照しながら説明する。
【００１６】
図１は、本発明にかかるコンソール卓の一実施の形態を示し、このコンソール卓は、卓面１に、回転板２を備える。
【００１７】
回転板２は、図２及び図３に示すように、キーボード３を実装する面（以下、「実装面」と略称する）２ａと、その反対側に、キーボード３を実装しない面（以下、「非実装面」と略称する）２ｂとを有する。また、実装面２ａと非実装面２ｂとの間には、キーボード３のカールコード３ａと回転軸受け機構４が挿入される空間２ｃが設けられる。
【００１８】
実装面２ａには、コード孔２ｄが穿設され、コード孔２ｄを通ってキーボード３のカールコード３ａが回転板２に挿入可能に構成される。
【００１９】
空間２ｃに挿入されたカールコード３ａは、右側または左側の回転軸受け機構４を通り、卓側に出力され、コンピュータと接続することができる。カールコード３ａは、回転軸受け機構４の横を通るとともに、回転板２の回転は、１８０°に限定されるため、絡まることなく回転板２から卓上にもたらされる。
【００２０】
回転軸５は、回転板２の左右中央部に位置し、回転板２を回転させる。回転板２には、必要以上（１８０°以上）の回転を防止するためのストッパ６が設けられ、回転板２の回転が１８０°以上とならないように制限されている。
【００２１】
係止手段７は、卓面１（図１参照）に実装され、実装面２ａと非実装面２ｂとのいずれかで回転板２を卓面１に固定する。係止手段７は、回転板２の空間２ｃで回転板２を係止し、コンソール卓の使用者が係止手段７による係止を解除している間に、回転板２を回転させ、実装面２ａまたは非実装面２ｂのいずれかを選択することができる。
【００２２】
回転板２の空間２ｃを形成するスペーサ２ｅは、磁性体で形成され、卓面１及び回転板２の上下裏面に磁石８を設けることにより、磁石８の磁力でスペーサ２ｅを押さえ、回転板２の実装面２ａまたは非実装面２ｂのいずれが卓面１側になっている場合でも、回転板２のがたつきを押さえることができる。
【００２３】
次に、上記構成を有するコンソール卓の動作について、図４を参照しながら説明する。
【００２４】
まず、図４（ａ）に示すように、キーボード３が載置面２ａに固定され、この状態では、ストッパ６が磁石８に当接し、磁石８の磁力によって磁石８に吸着されているため、回転板２ががたつかないように固定されている。そして、この状態でキーボード３を使用することができる。
【００２５】
キーボード３を使用しない場合には、上述の係止手段７による係止を解除し、回転板２を矢印方向に回転させると、図４（ｂ）に示すように、キーボード３及びカールコード３ａ（図２参照）が載置面２ａとともに卓面１の裏側に隠れ、その代わりに、回転板２の非載置面２ｂが卓上に現れ、非載置面２ｂが卓面１と略々同一平面内に位置するため、卓面１に書類を置いたり、伝票を書いたりすることができ、通常の机として利用することができる。
【００２６】
【発明の効果】
以上説明したように、本発明によれば、取り外した天板等が邪魔になることがなく、キー入力等を容易に行うことができ、一般的なコンソール卓に適用することもでき、誤ってキー入力等をする恐れもなく、外観にも優れたコンソール卓を提供することができる。
【図面の簡単な説明】
【図１】本発明にかかるコンソール卓の一実施の形態を示す正面図である。
【図２】本発明にかかるコンソール卓の卓回転部を示す詳細図であって、（ａ）は平面図、（ｂ）は正面図、（ｃ）は側面図である。
【図３】本発明にかかるコンソール卓の回転板を示す詳細図であって、（ａ）は平面図、（ｂ）は正面図、（ｃ）は背面図、（ｄ）は側面図である。
【図４】本発明にかかるコンソール卓の動作説明図であって、（ａ）は載置面が卓上に現れた状態、（ｂ）は非載置面が卓上に現れた状態を示す概略図である。
【図５】従来のコンソール卓にキーボードを実装した状態を示す側面図である。
【図６】従来のコンソール卓にキーボードを実装した状態を示す正面図である。
【符号の説明】
１            卓面
２            回転板
２ａ        実装面
２ｂ        非実装面
２ｃ        空間
２ｄ        コード孔
２ｅ        スペーサ
３            キーボード
３ａ        カールコード
４            回転軸受け機構
５            回転軸
６            ストッパ
７            係止手段
８            磁石
【図１】
2005018189.tif 000003
【図２】
2005018189.tif 000004
【図３】
2005018189.tif 000005
【図４】
2005018189.tif 000006
【図５】
2005018189.tif 000007
【図６】
2005018189.tif 000008